(57)【要約】【課題】放送の多チャネル化に伴って肥大化する番組情報の検索方法を改善し、ユーザの嗜好性に沿った、簡単な操作による番組情報提供システムを構築する。【解決手段】番組連動型データ放送として、視聴中の番組出演者やスタッフ名などのキーワードを放送局１から送信する。受信機２で受信したデータ放送中のキーワードを選択して、番組情報検索サーバ３に登録する。番組情報検索サーバにキーワードを含む番組情報が新たに登録されると、その内容をユーザに告知する。【選択図】  図９
2004222030.tif 000002
【特許請求の範囲】
【請求項１】
番組情報を取得する番組情報取得手段と、前記番組情報を格納する番組情報格納手段と、データ放送とともに放送番組を受信する放送番組受信手段と、受信したデータ放送のデータとして含まれるキーワードを表示して選択するキーワード閲覧選択手段と、前記キーワードをもとに前記番組情報から検索する番組情報検索手段とを備え、データ放送と連動してキーワード検索することを特徴とする放送番組受信装置。
【請求項２】
放送番組に関連するキーワード群を格納する番組キーワード格納手段と、前記番組キーワードをデータ放送として生成するデータ放送生成手段と、前記データ放送を放送番組とともに送信する放送番組送信手段とを備え、データ放送と連動してキーワード送信することを特徴とする放送番組送信装置。
【請求項３】
請求項１に記載の放送番組受信装置と、請求項２に記載の放送番組送信装置とを備え、データ放送と連動してキーワード検索することを特徴とする番組情報キーワード検索システム。
【請求項４】
データ放送とともに放送番組を受信する放送番組受信手段と、受信したデータ放送のデータとして含まれるキーワードを表示して選択するキーワード閲覧選択手段と、前記キーワードを所定の通信回線によって送信するキーワード送信手段と、前記キーワードをもとに検索された番組情報を前記通信回線によって受信するキーワード番組情報受信手段とを備え、データ放送と連動してリモートキーワード検索することを特徴とする放送番組受信装置。
【請求項５】
番組情報を格納する番組情報格納手段と、選択されたキーワードを所定の通信回線によって受信するキーワード受信手段と、受信したキーワードをもとに前記番組情報から検索するキーワード番組情報検索手段と、前記キーワード番組情報を前記通信回線によって送信するキーワード番組情報送信手段とを備え、リモートキーワード検索することを特徴とする番組情報検索装置。
【請求項６】
請求項２に記載の放送番組送信装置と、請求項４に記載の放送番組受信装置と、請求項５に記載の番組情報検索装置とを備え、データ放送と連動してリモートキーワード検索することを特徴とする番組情報キーワード検索システム。
【請求項７】
データ放送とともに放送番組を受信する放送番組受信手段と、受信したデータ放送のデータとして含まれるキーワードを表示して選択するキーワード閲覧選択手段と、前記キーワードを所定の通信回線によって送信するキーワード送信手段と、ユーザ情報を送信するユーザ情報送信手段と、前記キーワードに関連する番組情報を前記通信回線によって受信するキーワード番組情報受信手段とを備え、キーワード登録による番組情報の受信を行うことを特徴とする放送番組受信装置。
【請求項８】
番組情報を格納する番組情報格納手段と、前記番組情報に新規の番組情報を追加する番組情報追加手段と、ユーザ情報を受信するユーザ情報受信手段と、選択されたキーワードを所定の通信回線によって受信するキーワード受信手段と、前記ユーザ情報とともに前記キーワードを格納するユーザ情報格納手段と、前記新規の番組情報を追加する際に前記キーワードが含まれていた場合には前記ユーザ宛に該番組情報を前記通信回線によって送信する新規番組情報送信手段とを備え、キーワード登録による番組情報の提供を行うことを特徴とする番組情報提供装置。
【請求項９】
請求項２に記載の放送番組送信装置と、請求項７に記載の放送番組受信装置と、請求項８に記載の番組情報提供装置とを備え、キーワード登録による番組情報の提供を行うことを特徴とする番組情報提供システム。
【請求項１０】
出演者名を放送番組のタイムスタンプに沿ってキーワードとしてデータ放送生成する出演者リアルタイムデータ放送生成手段を備える請求項２に記載の放送番組送信装置と、請求項７に記載の放送番組受信装置と、請求項８に記載の番組情報提供装置とを備え、出演者のリアルタイムキーワード登録による番組情報の提供を行うことを特徴とする番組情報提供システム。
【発明の詳細な説明】
【０００１】
【発明の属する技術分野】
本発明は、ＢＳデジタルテレビや地上波デジタルテレビにおいて、視聴者が容易に番組情報を得られるような番組情報提供システムに関するものである。
【０００２】
【従来の技術】
従来より、テレビの番組情報は、新聞、雑誌、あるいはインターネット上で確認することができる。また、ＢＳデジタルテレビおよびチューナにはＥＰＧ（Ｅｌｅｃｔｒｉｃ  Ｐｒｏｇｒａｍ  Ｇｕｉｄｅ）が搭載しており、リモコン操作によって情報取得、あるいは視聴予約や録画予約を行うことができる。図３はデジタル放送局側のデータ処理を示しており、音声符号化器１ａおよび映像符号化器１ｂによってＡＶ（Ａｕｄｉｏ  Ｖｉｓｕａｌ）信号のストリーム化を行う。さらにデータ放送向けデータ１ｃとＰＳＩ（Ｐｒｏｇｒａｍ  Ｓｐｅｃｉｆｉｃ  Ｉｎｆｏｒｍａｔｉｏｎ）あるいはＰＳＩの拡張規格であるＳＩ（Ｓｅｒｖｉｃｅ  Ｉｎｆｏｒｍａｔｉｏｎ）と呼ばれる番組情報１ｅをＭＵＸ（Ｍｕｌｔｉｐｌｅｘｅｒ）１ｆによって多重化し、１つの番組として伝送路１ｇに乗せる。図４はデジタル放送受信機の一例を示しており、受信した電波をチューナ２ａを介して復調部２ｂによってＴＳ（Ｔｒａｎｓｐｏｒｔ  Ｓｔｒｅａｍ）とし、ＴＳからＴＳデコーダ２ｃによってコンテンツを構成する複数の信号を得る。ＡＶストリームはＡＶデコーダ２ｄによって復号され、番組情報データは番組情報管理２ｇによって番組情報データベース２ｈへ格納される。番組情報はブラウザ２ｊによっていつでも閲覧することが可能であり、復号されたビデオデータと合成して映像出力することも可能である。
【０００３】
【特許文献１】
特開２０００−２０１３３８号公報
【０００４】
【発明が解決しようとする課題】
従来のＥＰＧでは、多数のチャネル番組情報を限られた画面範囲内で表示する必要があるため、希望する番組を見つけるのが困難である。また、ＥＰＧには検索機能を持つものもあるが、映画やスポーツなど、固定キーワードによる検索しかできないため、本当にユーザが望む番組を的確に検索することは困難であり、検索結果をもとにユーザが探し出さなければならないという煩わしさがある。さらに、ＥＰＧデータは１週間あるいは２週間先まで、というように限られた期間までの情報しか取得することができない。加えて、番組数が膨大であるため、１番組あたりに対する情報量に乏しい。
本発明は、以上の問題を解決するため、ユーザの番組情報検索の手間を省くことができる番組情報提供装置およびシステムを提案するものである。
【０００５】
【課題を解決するための手段】
請求項３に記載の本発明は、番組情報を取得する番組情報取得手段と、番組情報を格納する番組情報格納手段と、データ放送とともに放送番組を受信する放送番組受信手段と、受信したデータ放送のデータとして含まれるキーワードを表示して選択するキーワード閲覧選択手段と、キーワードをもとに番組情報から検索する番組情報検索手段とを備える放送番組受信装置と、放送番組に関連するキーワード群を格納する番組キーワード格納手段と、番組キーワードをデータ放送として生成するデータ放送生成手段と、データ放送を放送番組とともに送信する放送番組送信手段とを備える放送番組送信装置とで構成される番組情報キーワード検索システムである。
【０００６】
本発明によれば、視聴中の番組を通じて、関連するキーワード（例えば出演者やスタッフ名など）をもとに、次回視聴予定の番組を連鎖的に気軽に検索することができる。
【０００７】
請求項６に記載の本発明は、放送番組に関連するキーワード群を格納する番組キーワード格納手段と、番組キーワードをデータ放送として生成するデータ放送生成手段と、データ放送を放送番組とともに送信する放送番組送信手段とを備える放送番組送信装置と、データ放送とともに放送番組を受信する放送番組受信手段と、受信したデータ放送のデータとして含まれるキーワードを表示して選択するキーワード閲覧選択手段と、キーワードを所定の通信回線によって送信するキーワード送信手段と、キーワードをもとに検索された番組情報を通信回線によって受信するキーワード番組情報受信手段とを備える放送番組受信装置と、番組情報を格納する番組情報格納手段と、選択されたキーワードを所定の通信回線によって受信するキーワード受信手段と、受信したキーワードをもとに番組情報から検索するキーワード番組情報検索手段と、キーワード番組情報を通信回線によって送信するキーワード番組情報送信手段とを備える番組情報検索装置とで構成される番組情報キーワード検索システムである。
本発明によれば、ＥＰＧでは提供されないような番組ごとの詳細データをもとに検索することができ、嗜好番組の視聴を逃してしまう可能性を低くすることができる。
【０００８】
請求項９に記載の本発明は、放送番組に関連するキーワード群を格納する番組キーワード格納手段と、番組キーワードをデータ放送として生成するデータ放送生成手段と、データ放送を放送番組とともに送信する放送番組送信手段とを備える放送番組送信装置と、データ放送とともに放送番組を受信する放送番組受信手段と、受信したデータ放送のデータとして含まれるキーワードを表示して選択するキーワード閲覧選択手段と、キーワードを所定の通信回線によって送信するキーワード送信手段と、ユーザ情報を送信するユーザ情報送信手段と、キーワードに関連する番組情報を通信回線によって受信するキーワード番組情報受信手段とを備える放送番組受信装置と、番組情報を格納する番組情報格納手段と、前記番組情報に新規の番組情報を追加する番組情報追加手段と、ユーザ情報を受信するユーザ情報受信手段と、選択されたキーワードを所定の通信回線によって受信するキーワード受信手段と、ユーザ情報とともにキーワードを格納するユーザ情報格納手段と、新規の番組情報を追加する際に前記キーワードが含まれていた場合にはユーザ宛に番組情報を通信回線によって送信する新規番組情報送信手段とを備える番組情報提供装置とで構成される、番組情報提供システムである。
本発明によれば、一度キーワードを登録することで、検索することなく、自動的に嗜好の番組情報を取得することができる。
【０００９】
請求項１０に記載の本発明は、出演者名を放送番組のタイムスタンプに沿ってキーワードとしてデータ放送生成する出演者リアルタイムデータ放送生成手段と、データ放送を放送番組とともに送信する放送番組送信手段とを備える放送番組送信装置を特徴とする番組情報提供システムである。
本発明によれば、番組視聴中に気になる出演者の情報を取得し、かつ将来にわたる出演番組情報を得ることができる。
【００１０】
【発明の実施の形態】
（実施の形態１）
以下、本願発明の第１の実施形態について図面を参照して説明する。
【００１１】
図１は、本願発明に係る放送局側における番組伝送例を示す概略図である。放送局において番組を構成する際、音声は音声符号化器１ａによってＰＥＳとして符号化され、映像は映像符号化器１ｂによってＰＥＳとして符号化する。音声符号化器１ａで用いる符号化方式としてはＡＡＣ，ＡＣ−３などが挙げられる。また、映像符号化器１ｂで用いる符号化方式としてはＭＰＥＧ２，ＭＰＥＧ４などが挙げられる。ＢＳデジタルや地上波デジタル放送では番組に連動したデータ放送を送信することが可能であるが、検索用キーワード１ｄをデータ放送１ｃに付加する。検索用キーワード１ｄとしては、例えば放送番組に出演中の俳優や監督の名前、その他スタッフ情報などが挙げられる。番組を構成する映像、音声、データおよびＰＳＩ（１ｅ）はＭＵＸ（１ｆ）によって多重化し、伝送路１ｆを通して送られる。
【００１２】
図２は、本願発明に係る受信機側の構成例を示す概略図である。受信した電波はチューナ２ａを介し、復調部２ｂによってＴＳとして復調され、ＴＳからコンテンツを構成する各ストリームを抽出する。ＡＶストリームはＡＶデコーダ２ｄによって復号し、ＳＩからは番組情報を取得し、番組情報管理部２ｇによって番組情報データベース２ｈに格納する。番組情報はブラウザ２ｊによっていつでも閲覧することができる。データ放送はデータ処理部２ｅによってブラウザ表示することが可能である。また、番組連動データとして付加されている検索用キーワード２ｆは、番組情報管理部２ｇによってキーワードデータベース２ｉに登録する。
図１０は、番組連動型データ放送による検索キーワードをブラウザによって表示し、そのなかで所望のキーワードを選択する実例を示したものである。１０ａは受信中の番組映像であり、１０ｂは受信機の画面全体を示す。１０ｃは番組映像以外のデータ放送部分であり、キーワードを閲覧することができる。１０ｄのようにキーワードを選択すると、番組情報データベース２ｈに格納している放送予定の番組情報から、選択したキーワードに関連する番組情報だけを抽出する。例えば次回も視聴中の番組が見たいと思えばタイトルをキーワードとして検索すれば良いし、お気に入りの出演者がいる場合には、出演する他の番組を検索することも可能である。
図１１は登録済みのキーワード一覧を表示した例であり、番組連動データ放送時でなくとも、一覧から１１ｂのように選択して検索することも可能である。
図１２は、キーワード検索した結果を表示した例である。検索した結果からは、従来の番組情報と同様に、視聴予約あるいは録画予約と連動させることが可能である。
以上のように、本実施の形態によれば、多数のチャネル番組情報のなかから希望する番組を自分で見つける必要がなくなる。また、番組ごとに様々なキーワードを付加することによって検索の幅が広がり、所望の番組検索がしやすくなる。さらに、視聴中の番組から次の番組へと、連鎖的で気軽な視聴スタイルを提供することができるようになる。
（実施の形態２）
次に本願発明の第２の実施形態について図面を参照して説明する。
【００１３】
図９は、地上波デジタルにおける番組情報提供システム全体の構成例である。放送局１に関しては実施の形態１と同様である。放送局１から伝送される番組データは電波塔４によって各家庭のチューナ搭載受信機に送信される。図９では例として携帯型受信機２を示しているが、固定型受信機や内蔵型テレビジョン、あるいはパソコンであっても良い。なお、図９では地上波デジタルを例に挙げているが、衛星放送やケーブルテレビにおいても同様である。番組情報検索サーバ３は、放送とともに送られてくる番組情報よりも詳細なデータを管理するものであり、受信機２とは電話回線によって相互接続されている。
【００１４】
図５は、受信機側の構成例を示す概略図である。検索用キーワードを番組連動データ放送として受信視聴するまでは実施の形態１と同様である。実施の形態１では選択したキーワードをもとに、受信機内の番組情報データベース内で検索しているが、本発明では、選択したキーワードを外部通信手段２ｋによって番組情報検索装置に送信する。外部通信手段２ｋは電話回線であっても良いし、無線ＬＡＮやＡＤＳＬなどのブロードバンド接続であっても良い。
【００１５】
図６は、番組情報検索装置の一例を示す概略図である。受信機側から外部通信手段３ｂを介して送られたキーワードをもとに、番組情報管理部３ａによって番組情報詳細データベース３ｃからの検索を行う。得られた検索結果は、再び外部通信手段３ｂを介して受信機２に送られ、受信機側にて検索結果を閲覧することができる。番組情報検索装置は放送局に併設されていても良いし、別のサービス業者であっても良い。また、自宅のパソコンを利用することも考えられる。
以上のように、本実施の形態によれば、受信機内に格納された番組情報では得られないような詳細情報まで得ることができる。また、通常の番組情報では１〜２週間分と限られた範囲内でしか検索することができないが、放送局側で個々に用意することによって、さらに広範囲にわたる検索が可能になる。
（実施の形態３）
次に本願発明の第３の実施形態について図面を参照して説明する。
【００１６】
図７は、受信機側の構成例を示す概略図である。検索用キーワードを番組連動データ放送として受信し、キーワードを選択して番組情報検索装置に送信するまでは実施の形態２と同様であるが、さらにユーザ情報も一緒に送信される。
【００１７】
ユーザ情報としては、例えばメールアドレスや自分専用に割り当てられたＩＤなどが考えられる。
【００１８】
図８は、番組情報検索装置の一例を示す概略図である。受信機側から外部通信手段３ｂを介して送られたキーワードをもとに、番組情報管理部３ａによって番組情報詳細データベース３ｃからの検索を行う。検索結果は実施の形態２と同様、受信機２に送られるが、同時に検索に用いたキーワードをユーザ管理データベース３ｄにユーザ情報とともに格納する。
【００１９】
新たな番組情報が番組情報詳細データベース３ｃに追加された場合には図１３の処理が発生する。
【００２０】
新たな番組情報を番組情報詳細データベース３ｃに登録する（ｓｔｅｐ１）とき、番組情報とともに付加されている関連キーワードを確認する（ｓｔｅｐ２）。次にユーザ管理データベース３ｄに登録されているユーザ情報およびキーワードを調べ、該当するユーザ情報を抽出する（ｓｔｅｐ３）。該当するユーザには、新たな番組情報を送信する（ｓｔｅｐ４）。番組情報の送信方法としては、例えばユーザ情報として格納したメールアドレスに対してメール送信することが考えられる。
【００２１】
受信機２にはプッシュ配信制御部２ｌが設けてあるため、送られてくる番組情報を自動的に受信することができる。例えば、お気に入りの俳優名や監督名をキーワードとして登録しておけば、常に放送予定の番組情報を得ることができる。
以上のように、本実施の形態によれば、ユーザが周期的に検索することなく、一度登録したキーワードに関連する番組情報をいつでも欠かさずに取得することができる。また、放送局側においても、番組の告知をユーザの嗜好に合わせて効果的に行うことができる。
（実施の形態４）
次に本願発明の第４の実施形態について説明する。
【００２２】
実施の形態１から実施の形態の構成に加えて、本実施の形態では、放送局側でデータ放送用データを作成する際に、キーワードとして現在出演中の人物名および役名をタイムスタンプに合わせてリアルタイムに表示する。これによって、従来の地上波放送のように登場時のみを字幕で紹介するのではなく、いつでも知りたいときに確認することができるようになる。また、ユーザが番組の途中から見始めたとしても、画面上の人物と役名をはっきりさせることができるため、映画やドラマのようなストーリーものであっても、途中からの視聴を促すことができる。
以上のように、本実施の形態によれば、番組中の気になる出演者に関する別の番組を検索することができるようになり、放送局側においても、新たな視聴層への拡張が期待できるようになる。
【００２３】
【発明の効果】
以上のように、本発明によれば、多数のチャネル番組情報のなかから希望する番組を自分で見つける必要がなくなる。また、番組ごとに様々なキーワードを付加することによって検索の幅が広がり、所望の番組検索がしやすくなる。さらに、視聴中の番組から次の番組へと、連鎖的で気軽な視聴スタイルを提供することができるようになる。また、受信機内に格納された番組情報では得られないような詳細情報まで得ることができる。また、通常の番組情報では１〜２週間分と限られた範囲内でしか検索することができないが、放送局側で個々に用意することによって、さらに広範囲にわたる検索が可能になる。また、ユーザが周期的に検索することなく、一度登録したキーワードに関連する番組情報をいつでも欠かさずに取得することができる。また、放送局側においても、番組の告知をユーザの嗜好に合わせて効果的に行うことができる。このように、本発明は、テレビ放送のデジタル化とユーザの嗜好性に合わせて放送番組を拡大するととに、番組情報を的確に伝える手段として、その実用的な効果は大きい。
【図面の簡単な説明】
【図１】実施の形態１に係る放送局側における番組伝送例を示す概略図
【図２】実施の形態１に係る受信機側の構成例を示す概略図
【図３】従来の放送局側における番組伝送例を示す概略図
【図４】従来の受信機側の構成例を示す概略図
【図５】実施の形態２に係る受信機側の構成例を示す概略図
【図６】実施の形態２に係る番組情報検索装置の構成例を示す概略図
【図７】実施の形態３に係る受信機側の構成例を示す概略図
【図８】実施の形態３に係る番組情報検索サーバの構成例を示す概略図
【図９】地上波デジタルにおける番組情報提供システム全体の構成例を示す概略図
【図１０】番組連動型データ放送による検索キーワード表示および選択の実施例を示す受信機映像図
【図１１】受信機に登録されたキーワード一覧表示および選択の実施例を示す受信機映像図
【図１２】キーワード選択による検索結果例を示す受信機映像図
【図１３】図８の番組情報検索装置におけるキーワード登録および番組情報配信処理フロー図
【符号の説明】
１  放送局
２  番組受信機
３  番組情報検索サーバ
４  地上波デジタル電波塔
１ａ    音声符号化器
１ｂ    映像符号化器
１ｃ    データ放送用データ
１ｄ    検索用番組連動キーワード
１ｅ    ＰＳＩ
１ｆ    多重化システム
１ｇ    伝送路
２ａ    チューナ
２ｂ    復調部
２ｃ    ＴＳデコーダ
２ｄ    ＡＶデコーダ
２ｅ    データ放送処理部
２ｆ    番組連動検索用キーワード
２ｇ    番組情報管理部
２ｈ    番組情報データベース
２Ｉ    キーワードデータベース
２ｊ    ブラウザ
２ｋ    外部通信手段
２ｌ    プッシュ配信制御部
３ａ    番組情報管理部
３ｂ    外部通信手段
３ｃ    番組情報詳細データベース
３ｄ    ユーザ管理データベース
１０ａ    受信映像部
１０ｂ    受信機画面
１０ｃ    データ放送表示部
１０ｄ    キーワード登録用選択枠
１０ｅ    リアルタイム出演者表示
１１ａ    キーワード検索用選択枠
【図１】
2004222030.tif 000003
【図２】
2004222030.tif 000004
【図３】
2004222030.tif 000005
【図４】
2004222030.tif 000006
【図５】
2004222030.tif 000007
【図６】
2004222030.tif 000008
【図７】
2004222030.tif 000009
【図８】
2004222030.tif 000010
【図９】
2004222030.tif 000011
【図１０】
2004222030.tif 000012
【図１１】
2004222030.tif 000013
【図１２】
2004222030.tif 000014
【図１３】
2004222030.tif 000015